(57)【要約】      （修正有）【課題】収容した物品の傷付きを防止できる包装体を形成することができる包装資材セットを提供する。【解決手段】包装資材セットは、トレイ用シート１と、緩衝シート２とを備え、トレイ用シートが、四角筒状体を形成する第１側面パネル３、４及び第２側面パネル５、６と、第１底フラップ８、９及び第２底フラップ１０、１１と、第１側面パネル及び第２側面パネルの上縁から延出し、組み立て状態で第１側面パネル及び第２側面パネルの内側に折り重ねられる第１内面パネル１２、１３及び第２内面パネル１４，１５とを有し、緩衝シートが、トレイの底体の内側に重ねられる方形状の中底パネル２２と、中底パネルの対向する側縁からそれぞれ延出し、トレイの第１内面パネルのさらに内側に重ねられる接続パネル２３、２４と、接続パネルの先端縁から延出し、先端縁同士を突合わせて四角筒状体の上部開口を封止する蓋体を形成する蓋フラップ２５、２６とを有する。【選択図】図１
0003216665.tif 000002
【実用新案登録請求の範囲】
【請求項１】
１枚の段ボールシートから形成され、上部が開口したトレイに組み立てられるトレイ用シートと、
１枚の段ボールシートから形成され、少なくとも部分的に上記トレイの内側に挿入される緩衝シートと
を備える包装資材セットであって、
上記トレイ用シートが、
左右方向に交互に連設され、組み立て状態で四角筒状体を形成する一対の第１側面パネル及び一対の第２側面パネルと、
上記第１側面パネル及び一対の第２側面パネルの下縁から延出し、組み立て状態で上記四角筒状体の下端を封止する底体を形成する一対の第１底フラップ及び一対の第２底フラップと、
上記一対の第１側面パネル及び一対の第２側面パネルの上縁から延出し、組み立て状態で上記一対の第１側面パネル及び一対の第２側面パネルの内側に折り重ねられる一対の第１内面パネル及び一対の第２内面パネルと
を有し、
上記緩衝シートが、
上記トレイの底体の内側に重ねられる方形状の中底パネルと、
上記中底パネルの対向する一対の側縁からそれぞれ延出し、上記トレイの上記第１内面パネルのさらに内側に重ねられる一対の接続パネルと、
上記接続パネルの先端縁から延出し、先端縁同士を突合わせて上記四角筒状体の上部開口を封止する蓋体を形成する一対の蓋フラップと
を有することを特徴とする包装資材セット。
【請求項２】
上記一対の蓋フラップの左右方向の長さが上記第１側面パネルの左右方向の長さよりも大きい請求項１に記載の包装資材セット。
【請求項３】
上記トレイ用シートが、上記第２内面パネルの基端部に上記第２側面パネルに食い込むよう延出して形成され、組み立て状態で、上記四角筒状体から上方に突出する二対の突起をさらに有し、
上記緩衝シートが、上記蓋フラップに形成され、上記突起を受け入れる二対のスリットを有する請求項２に記載の包装資材セット。
【請求項４】
上記第２底フラップの基端部に組み立て状態で上記突起に対応する一対の開口が形成され、上記第２内面パネルの先端部に組み立て状態で上記突起に対応する一対の切り欠きが形成される請求項３に記載の包装資材セット。
【請求項５】
上記接続パネルの先端縁の長さが基端縁の長さよりも大きい請求項１から請求項４のいずれか１項に記載の包装資材セット。
【考案の詳細な説明】
【技術分野】
【０００１】
本考案は、包装資材セットに関する。
【背景技術】
【０００２】
青果（野菜及び果物）は、例えば特開２０１２−１０１８２９号公報に記載されるように、段ボールシートから形成されるトレイ（上部が開放された高さの低い箱）に収容して輸送されることが多い。一般的に、青果用トレイとしては、１枚の段ボールシートから形成され、方形状の底板パネルと、この底板パネルの四辺に連設される４つの側壁パネルと、この側壁パネルに連設されて側壁パネル間を四角筒状に保持するための接続パネルとを有するトレイ用シートを組み立てたものが使用される。
【０００３】
また、形状が球形に近い果実等は、トレイの内部でぶつかり合って互いに傷付け合うことがないよう、種々の保護手段を講じてトレイに収容されることが一般的である。このような果実等の保護手段としては、例えば樹脂成形体、パルプ抄造体等から形成され、個々の果実等が嵌合する凹部を有する保持部材（例えば特開２００３−２６１１８１号公報参照）、小売りにおける販売単位となる一定量の果実等を収容する複数の販売容器（例えば特開２００５−３０６４４８号公報参照）等が周知である。
【０００４】
例えばイチゴ、イチジク、マンゴー、トマト等の比較的傷付きやすい青果を収容する場合には、上述の保持部材や販売容器のような保護手段を用いるだけでは十分に傷付きを防止することができないことがある。特に、青果の底面には、振動等で圧力が加わりやすいため、トレイの底部の緩衝効果を向上することが望まれる。
【先行技術文献】
【特許文献】
【０００５】
【特許文献１】特開２０１２−１０１８２９号公報
【特許文献２】特開２００３−２６１１８１号公報
【特許文献３】特開２００５−３０６４４８号公報
【考案の概要】
【考案が解決しようとする課題】
【０００６】
上記不都合に鑑みて、本考案は、収容した物品の傷付きを防止できる包装体を形成することができる包装資材セットを提供することを課題とする。
【課題を解決するための手段】
【０００７】
上記課題を解決するためになされた本考案の一態様に係る包装資材セットは、１枚の段ボールシートから形成され、上部が開口したトレイに組み立てられるトレイ用シートと、１枚の段ボールシートから形成され、少なくとも部分的に上記トレイの内側に挿入される緩衝シートとを備える包装資材セットであって、上記トレイ用シートが、左右方向に交互に連設され、組み立て状態で四角筒状体を形成する一対の第１側面パネル及び一対の第２側面パネルと、上記一対の第１側面パネル及び一対の第２側面パネルの下縁から延出し、組み立て状態で上記四角筒状体の下端を封止する底体を形成する一対の第１底フラップ及び一対の第２底フラップと、上記一対の第１側面パネル及び一対の第２側面パネルの上縁から延出し、組み立て状態で上記一対の第１側面パネル及び一対の第２側面パネルの内側に折り重ねられる一対の第１内面パネル及び一対の第２内面パネルとを有し、上記緩衝シートが、上記トレイの底体の内側に重ねられる方形状の中底パネルと、上記中底パネルの対向する一対の側縁からそれぞれ延出し、上記トレイの上記第１内面パネルのさらに内側に重ねられる一対の接続パネルと、上記接続パネルの先端縁から延出し、先端縁同士を突合わせて上記四角筒状体の上部開口を封止する蓋体を形成する一対の蓋フラップとを有することを特徴とする。
【０００８】
当該包装資材セットは、二対の底フラップによって形成されるトレイの底体にさらに緩衝シートの中底パネルを重ねるよう構成されることによって、収容した物品の底に加わる衝撃を十分に低減することができる。また、当該包装資材セットは、トレイの周壁を全て多重に段ボールシートを重ねて形成する構成とし、緩衝シートに一対の蓋フラップを設けたことによって、側方からの衝撃も十分に低減することができる。従って、当該包装資材セットは、収容した物品の傷付きをより確実に防止することができる。
【０００９】
当該包装資材セットにおいて、上記一対の蓋フラップの左右方向の長さが上記第１側面パネルの左右方向の長さよりも大きいことが好ましい。このように、上記一対の蓋フラップの左右方向の長さが上記第１側面パネルの左右方向の長さよりも大きいことによって、蓋フラップがトレイの内側に落ち込んで先端縁により収容した物品を傷付けることを防止できる。
【００１０】
当該包装資材セットにおいて、上記トレイ用シートが、上記第２内面パネルの基端部に上記第２側面パネルに食い込むよう延出して形成され、組み立て状態で、上記四角筒状体から上方に突出する二対の突起をさらに有し、上記緩衝シートが、上記蓋フラップに形成され、上記突起を受け入れる二対のスリットを有してもよい。このように、上記トレイ用シートが、上記二対の突起をさらに有し、上記緩衝シートが、上記突起を受け入れる二対のスリットを有することによって、蓋フラップを閉じた状態を保持することができるため、収容した物品の保護がさらに確実となる。
【００１１】
当該包装資材セットにおいて、上記第２底フラップの基端部に組み立て状態で上記突起に対応する一対の開口が形成され、上記第２内面パネルの先端部に組み立て状態で上記突起に対応する一対の切り欠きが形成されてもよい。このように、上記第２底フラップの基端部に組み立て状態で上記突起に対応する一対の開口が形成され、上記第２内面パネルの先端部に組み立て状態で上記突起に対応する一対の切り欠きが形成されることによって、当該包装資材セットを用いた包装体を上下に積み重ねる際に、上の包装体の上記開口及び上記切り欠きに下の包装体の上記突起が嵌合して、荷崩れを防止することができる。
【００１２】
当該包装資材セットにおいて、上記接続パネルの先端縁の長さが基端縁の長さよりも大きいことが好ましい。このように、上記接続パネルの先端縁の長さが基端縁の長さよりも大きいことによって、緩衝シートの中底パネル及び接続パネルをトレイ用シートを組み立ててなるトレイの中に挿入することが容易となる。
【考案の効果】
【００１３】
上述のように、本考案に係る包装資材セットは、本考案は、収容した物品の傷付きを防止できる包装体を形成することができる。
【図面の簡単な説明】
【００１４】
【図１】本考案の一実施形態の包装資材セットの構成を示す模式的平面図（展開図）である。
【図２】図２の包装資材セットを組み立ててなる箱体の模式的断面図である。
【図３】図１の包装資材セットを用いた包装体を示す模式的斜視図である。
【図４】図２の包装体の開梱の様子を示す模式的斜視図である。
【考案を実施するための形態】
【００１５】
以下、適宜図面を参照しつつ、本考案の実施の形態を詳説する。
【００１６】
［包装資材セット］
図１に、本考案の一実施形態に係る包装資材セットを示す。なお、図１において、太い実線はシート材を切断した切断線を示し、細い実線はシート材の裏面（当該包装資材セットを用いた包装体において内側に配置される面）に筋押しして形成される罫線を示す。
【００１７】
当該包装資材セットは、図２及び図３に示すように箱状に組み立てられ、１又は複数の物品Ｐを収容した包装体を形成するために用いられる。
【００１８】
当該包装資材セットにより包装される物品Ｐとしては、例えばイチゴ、イチジク、マンゴー、トマト等の比較的傷付きやすい果実や葉物野菜などの青果を挙げることができる。このような物品Ｐは、卵パックのように、複数の凹部を有する保持部材Ｓに保持された状態で収容してもよい。
【００１９】
当該包装資材セットは、１枚の段ボールシートから形成され、図４に示すように、上部が開口したトレイＴに組み立てられるトレイ用シート１と、１枚の段ボールシートから形成され、少なくとも部分的にトレイＴの内側に挿入される緩衝シート２とを備える。
【００２０】
当該包装資材セットのトレイ用シート１及び緩衝シート２を形成する段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。当該包装資材セットにおいて、トレイ用シート１を形成する段ボールシートの種類と緩衝シート２を形成する段ボールシートの種類とが異なっていてもよい。
【００２１】
＜トレイ用シート＞
トレイ用シート１は、左右方向に交互に連設される一対の第１側面パネル３，４及び一対の第２側面パネル５，６と、これらの側面パネル３〜６が組み立て状態で四角筒状体を形成できるよう、左右方向一端に位置する第１側面パネル３の一端側に連設され、他端に位置する第２側面パネル６の他端部内面に接着される継ぎしろ７とを有する。この第２側面パネル６への継ぎしろ７の接着は、例えば接着剤、ステープラー等を用いて行うことができる。
【００２２】
トレイ用シート１を形成する段ボールシートは、側面パネル３〜６から形成される四角筒状体の強度を向上するために、中芯の稜線が上下方向に延びるよう配向されることが好ましい。
【００２３】
本実施形態において、第１側面パネル３，４の左右方向の長さは、第２側面パネル５，６の左右方向の長さよりも大きい。つまり、トレイ用シート１において、第１側面パネル３，４は、トレイＴの長方形状の平面形状における長辺を画定し、第２側面パネル５，６は短辺を画定する。
【００２４】
また、トレイ用シート１は、一対の第１側面パネル３，４の下縁及び一対の第２側面パネル５，６の下縁から延出し、組み立て状態で四角筒状体の下端を封止する底体を形成する一対の第１底フラップ８，９及び一対の第２底フラップ１０，１１と、一対の第１側面パネル３，４の上縁及び一対の第２側面パネル５，６の上縁から延出し、組み立て状態で一対の第１側面パネル３，４及び一対の第２側面パネル５，６の内側に折り重ねられる一対の第１内面パネル１２，１３及び一対の第２内面パネル１４，１５とをさらに有する。
【００２５】
トレイ用シート１は、側面パネル３〜６によって上下方向の長さが小さい扁平な四角筒状体を形成し、この四角筒状体の下端開口の内側に第２底フラップ１０，１１を折り曲げ、さらに第１底フラップ８，９を折り重ねて第１底フラップ８，９の先端縁同士を突合わせることでトレイＴの底体を形成する。このトレイＴは、例えば第１底フラップ８，９の先端縁の合わせ目に沿って粘着テープを貼着したり、第１底フラップ８，９と第２底フラップ１０，１１とを接着剤で貼り合わせたりすることによって、底体の組み立て状態を保持することができる。なお、「突合わせる」とは、当接させる状態に限られず、小さい隙間を形成する状態であってもよい。
【００２６】
さらに、トレイ用シート１は、内面パネル１２〜１５を側面パネル３〜６に対して１８０°折り返すことによって、内面パネル１２〜１５が側面パネル３〜６の内面側に重ね合わされる。これにより、トレイ用シート１を組み立ててなるトレイＴは、周壁が側面パネル３〜６と内面パネル１２〜１５とを有する二重構造となる。
【００２７】
トレイ用シート１は、図１に示す展開状態から、左右方向一端に位置する第１側面パネル３を隣接する第２側面パネル５の内面側に折り重ね、左右方向他端に位置する第２側面パネル６を隣接する第１側面パネル４の内面側に折り重ね、継ぎしろ７を第２側面パネル６に接着した状態でユーザーに提供されることが企図される。
【００２８】
トレイ用シート１は、第１側面パネル３及び第１内面パネル１２間の境界並びに第１側面パネル４及び第１内面パネル１３間の境界にそれぞれ２つずつ形成され、左右方向に長く、角が丸く面取りされた長方形状の上部開口１６を有する。この上部開口１６は、当該包装資材セットを組み立ててなる箱体において、物品Ｐから放出される水分を外部に放出したり、外部の冷気を箱体の中に導入して物品を冷却したりすることを可能にする通気孔として機能する。
【００２９】
各上部開口１６は、第１側面パネル３，４と第１内面パネル１２，１３との境界を画定する罫線を中心に上下対称に形成され、トレイ用シート１を組み立ててなるトレイＴにおいて、罫線より上側のエッジが罫線より下側のエッジに重なり側壁の上端にそれぞれ切り欠きを形成する。
【００３０】
また、トレイ用シート１は、第２側面パネル５及び第２底フラップ８間の境界並びに第２側面パネル６及び第２底フラップ９間の境界にそれぞれ２つずつ形成され、左右方向に長く、角が丸く面取りされた長方形状の下部開口１７を有する。この下部開口１７も、上部開口１６と同様に、当該包装資材セットを組み立ててなる箱体において通気孔として機能する。
【００３１】
下部開口１７を通気孔として機能させるために、トレイ用シート１は、組み立て状態で下部開口１７の第２底フラップ１０，１１側部分に重なるよう第１底フラップ８，９の側円に形成される二対の底部切り欠き１８と、組み立て状態で下部開口１７の第２側面パネル５，６側部分に重なるよう第２内面パネル１４，１５の先端縁に形成される二対の内側切り欠き１９とをさらに有する。底部切り欠き１８及び内側切り欠き１９は、下部開口１７よりも大きく形成することができる。中でも、内側切り欠き１９の上下方向の長さが十分に大きいことが好ましい。
【００３２】
トレイ用シート１は、第２内面パネル１４，１５の基端部に第２側面パネル５，６に食い込むよう延出して形成され、組み立て状態で四角筒状体から上方に突出する二対の突起２０を有する。これにより、第２側面パネル５，６には、突起２０と相補的な形状の外側切り欠き２１が形成される。換言すると、第２側面パネル５，６の上端部には、第２内面パネル１４，１５との境界を定める罫線を両端とする下に凸状の切断線が設けられ、第２側面パネル５，６に外側切り欠き２１を形成すると共に、第２内面パネル１４，１５の基端部に突起２０を形成する。
【００３３】
これらの突起２０は、当該包装資材セットを用いた複数の包装体を上下に積み重ねる場合に、上側の包装体の底部切り欠き１８及び下部開口１７を貫通し、内側切り欠き１９に収容される。これによって、当該包装資材セットを用いた複数の包装体同士を係合させて荷崩れを防止することができる。このため、底部切り欠き１８、下部開口１７及び内側切り欠き１９は、組み立て状態で突起２０に対応する位置（左右方向に同じ位置）に形成される。
【００３４】
このように、突起２０を内側切り欠き１９内に挿入して荷崩れを防止するために、下部開口１７の第２側面パネル５，６内での上下方向の長さ（第２側面パネル５，６及び第２底フラップ１０，１１間の罫線から上の部分の上下高さ）を突起２０の上下方向の突出長さよりも小さく、且つ、内側切り欠き１９の上下方向の長さを突起２０の上下方向の突出長さよりも大きくしておくことが望ましい。
【００３５】
＜緩衝シート＞
緩衝シート２は、トレイ用シート１を組み立ててなるトレイＴの底体の内側に重ねられる方形状の中底パネル２２と、中底パネル２２の対向する一対の側縁（長辺）からそれぞれ延出し、トレイＴの第１内面パネル１２，１３のさらに内側に重ねられる一対の接続パネル２３，２４と、接続パネル２３，２４の先端縁から延出し、先端縁同士を突合わせてトレイＴの四角筒状体の上部開口を封止する蓋体を形成する一対の蓋フラップ２５，２６とを有する。
【００３６】
緩衝シート２を形成する段ボールシートは、包装体の強度を向上すると共に物品Ｐを緩衝シート２と共にトレイＴから取り出す際に強度を確保できるよう、中芯の稜線が、中底パネル２２、一対の接続パネル２３，２４及び一対の蓋フラップ２５，２６が連設される方向に延びるよう配向されることが好ましい。
【００３７】
中底パネル２２は、トレイＴの内側に挿入するために、第１側面パネル３，４に隣接する長辺の長さが第１側面パネル３，４の左右方向の長さよりも僅かに小さく、第２側面パネル５，６に隣接する短辺の長さが第２側面パネル５，６の左右方向の長さよりも僅かに小さい。
【００３８】
また、中底パネル２２は、短辺が内側に僅かに凹状となるよう湾曲又は屈曲していてもよい。このように、中底パネル２２の短辺側の側縁が凹状であることによって、中底パネル２２の側縁が第２内面パネル１４，１５の先端縁に引っ掛かることを防止し、緩衝シート２のトレイＴからの取り出し、つまり包装体の解体を容易にすることができる。
【００３９】
接続パネル２３，２４の基端縁（中底パネル２２との境界線）の長さは、中底パネル２２をトレイＴの内側に容易に挿入できるよう、第１側面パネル３，４の左右方向の長さよりも僅かに小さいことが好ましい。接続パネル２３，２４の基端縁の長さと第１側面パネル３，４の左右方向の長さとの差としては、トレイ用シート１を形成する段ボールシートの平均厚さの２倍以上４倍以下とすることが好ましい。
【００４０】
また、接続パネル２３，２４の先端縁（蓋フラップ２５，２６との境界線）の長さは、中底パネル２２をトレイＴの中に容易に挿入可能とするために、基端縁（中底パネル２２との境界線）長さよりも僅かに大きいことが好ましい。さらに、接続パネル２３，２４の先端縁の長さを第１側面パネル３，４の左右方向の長さに近付けることで、緩衝シート２がトレイＴの中で動くことを防止することができ、収容した物品Ｐの保護をより確実にすることができる。
【００４１】
蓋フラップ２５，２６の左右方向の長さは、第１側面パネル３，４の左右方向の長さよりも大きいことが好ましい。蓋フラップ２５，２６の左右方向の長さが第１側面パネル３，４の左右方向の長さよりも大きいことによって、蓋フラップ２５，２６の左右方向両端部がトレイＴの第２側面パネル５，６の上縁の上に載置され、蓋フラップ２５，２６の先端縁がトレイＴの中に落ち込んで物品Ｐを傷付けることが防止される。
【００４２】
蓋フラップ２５，２６の上下方向の延出長さは、第２側面パネル５，６の左右方向の長さの１／２よりも小さくてもよい。蓋フラップ２５，２６の上下方向の延出長さは、第２側面パネル５，６の左右方向の長さの１／２よりも小さいことによって、当該包装資材セットを組み立ててなる箱体の蓋体の中央に通気孔として機能する隙間を形成することができる。
【００４３】
各蓋フラップ２５，２６には、トレイＴの突起２０をそれぞれ受け入れる２つのスリット２８が形成されていることが好ましい。このように、蓋フラップ２５，２６に設けたスリット２８にトレイＴの突起２０を係合させることによって、蓋フラップ２５，２６を閉じて当該包装資材セットを組み立ててなる箱体を封函した状態を保持することができるので、収容する物品Ｐの保護がより確実となる。
【００４４】
蓋フラップ２５，２６を閉じた状態をより確実に保持可能とするために、スリット２８は、両端部近傍領域の幅が端部に向かって幅が縮小する先細形状に形成され、両端の幅がトレイ用シート１を形成する段ボールシートの平均厚さよりも小さくなっていることがより好ましい。これにより、スリット２８が突起２０を厚さ方向に圧縮して摩擦力を生じさせて包装体の封函状態をより確実に保持することができる。
【００４５】
また、蓋フラップ２５，２６を閉じた状態をさらに確実に保持するために、突起２０の第２内面パネル１４，１５の左右方向中心側の側縁が延びる方向を左右方向中心側に傾斜させ、突起２０をスリット２８に係合及び脱離させる際に突起２０の中心側の側縁の先端側部分がスリット２８の端部に擦れて抵抗を生じるようにしてもよい。この側縁の傾斜角度としては、３°以上８°以下とすることができる。
【００４６】
スリット２８を先細形状とする場合、スリット２８の蓋フラップ２５，２６の左右方向中央側の側縁を直線状に形成し、外側の側縁を屈曲させることが好ましい。これにより、突起２０を箱体のうち側に向かって押圧し、第２内面パネル１４，１５が第２側面パネル５，６から浮き上がることを防止することができる。
【００４７】
緩衝シート２は、接続パネル２３，２４と蓋フラップ２５，２６との境界に、それぞれ２つずつ形成され、左右方向に長く、角が丸く面取りされた長方形状の蓋部開口２９を有する。この蓋部開口２９は、当該包装資材セットを用いて物品Ｐを包装した包装体において、トレイＴの上部開口１６によって形成される切り欠きに重なり、通気孔として機能する。
【００４８】
また、この蓋部開口２９は、当該包装資材セットを用いた包装体を開梱する際に、トレイＴから緩衝シート２を取り出すために緩衝シート２を把持する手穴としても機能する。このため、手を差し込むことができるよう、蓋部開口２９の上下方向（中底パネル２２、一対の接続パネル２３，２４及び一対の蓋フラップ２５，２６が連設される方向）の長さとしては２ｃｍ以上５ｃｍ以下が好ましく、蓋部開口２９の左右方向（接続パネル２３，２４及蓋フラップ２５，２６間の境界に沿う方向）の長さとしては５ｃｍ以上１０ｃｍ以下が好ましい。
【００４９】
＜利点＞
当該包装資材セットは、箱状に組み立てて物品Ｐを包装する際、トレイ用シート１の二対の底フラップ８〜１１によって形成されるトレイＴの底体にさらに緩衝シート２の中底パネル２２を重ねることによって、包装体の底部を複数の段ボールシートを重ねたものとするため、収容する物品Ｐの底に加わる衝撃を十分に低減することができる。
【００５０】
また、当該包装資材セットでは、トレイ用シート１が形成するトレイＴの周壁が、全て側面パネル３〜６と内面パネル１２〜１５とを重ねた二重構造であり、長辺側についてはさらに緩衝シート２の接続パネル２３，２４を重ねるため、側方からの外力に対しても物品Ｐに加わる衝撃を十分に低減することができる。
【００５１】
当該包装資材セットを用いて物品Ｐを包装した包装体は、蓋フラップ２５，２６を跳ね上げて、図４に示すように、緩衝シート２を中底パネル２２の上に物品Ｐを載置したまま、この物品ＰごとトレイＴから上方に引き抜くことによって、物品Ｐを容易且つ迅速に取り出すことができる。
【００５２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５３】
当該包装資材セットを用いた包装体において、物品は、保護手段を用いずに直接当該包装資材セットを組み立ててなる箱体の中に収容されてもよく、小容器（販売用パッケージ）に収容した状態や、例えば発泡樹脂から形成されるスリーブ状又はネット状の保護カバーを被せた状態で包装されてもよい。また、当該包装資材セットを用いた包装体に使用される保護手段としては、例えば細長く切断した紙や樹脂フィルム等の不定形の緩衝材を物品の隙間に詰め込んで物品がトレイの中で動きにくくするものであってもよい。
【００５４】
当該包装資材セットの緩衝シートは、接続パネルが中底パネルの短辺から延出するものであってもよい。
【００５５】
当該包装資材セットにおいて、上部開口、下部開口、底部切り欠き、内側切り欠き、突起、外側切り欠き、スリット及び蓋部開口は省略してもよい。
【産業上の利用可能性】
【００５６】
本考案に係る包装資材セットは、青果、特に果物の輸送のための包装に好適に利用することができる。
【符号の説明】
【００５７】
１  トレイ用シート
２  緩衝シート
３，４  第１側面パネル
５，６  第２側面パネル
７  継ぎしろ
８，９  第１底フラップ
１０，１１  第２底フラップ
１２，１３  第１内面パネル
１４，１５  第２内面パネル
１６  上部開口
１７  下部開口
１８  底部切り欠き
１９  内側切り欠き
２０  突起
２１  外側切り欠き
２２  中底パネル
２３，２４  接続パネル
２５，２６  蓋フラップ
２８  スリット
２９  蓋部開口
Ｐ  物品
Ｓ  保持部材
Ｔ  トレイ
【図１】
0003216665.tif 000003
【図２】
0003216665.tif 000004
【図３】
0003216665.tif 000005
【図４】
0003216665.tif 000006